(57)【要約】【課題】低コストで梱包作業性の高い側壁のある密閉梱包を提供する。【解決手段】既製品のプラスチックパレットをベースに加工性に優れた段ボールもしくはプラスチック段ボールを側壁に使用するシンプルな梱包形態であるので、コストを低く抑えられる。請求項１に記載の発明によれば、側壁を構成するスリーブは、トレーの立ち上がりによらず、既製品のプラスチックパレットの穴を利用して固定させるので、トレーを必要としない。また、トレーの立ち上がりを利用する固定方法よりも安定しているので、梱包作業性の高い１方開きスリーブを実現できる。また、梱包強度については、必要に応じ、スリーブを構成する段ボールのもしくはプラスチック段ボールの素材を選択すれば、自由に強度設計が可能となる【選択図】図３
2008127034.tif 000002
【特許請求の範囲】
【請求項１】
既製品のプラスチックパレットを使用した梱包において、プラスチックパレットに形成されている穴の形状に合うように成型した段ボールもしくはプラスチックダンボールのスリーブ（側壁）をプラスチックパレットの穴に差し込むことで固定させることを特徴とする梱包形態。
【発明の詳細な説明】
【技術分野】
【０００１】
本発明は輸送梱包に関する発明である。
【背景技術】
【０００２】
従来の輸送梱包の形態は、側壁のあるタイプと側壁のないタイプに大別される。パレットに梱包物を載せた後にフイルムを巻く梱包形態に代表される側壁のないタイプでは、密閉されていないことから、梱包強度と梱包物の保護面および梱包作業面において問題があった。他方、側壁のあるタイプでは、密閉性の低いスキット木箱や金属製の網かごを使用して梱包する場合と密閉性の高い段ボール梱包に代表される形態がある。側壁のある密閉性の低い梱包形態では、梱包強度面と梱包作業性の面では問題がないものの梱包物保護面での問題は残り、側壁のある密閉性の高い梱包では側壁の固定方法に工夫が必要になり、コストは概して高いものになっていた。
【発明の開示】
【発明が解決しようとする課題】
【０００３】
パレットに梱包物を載せた後にフィルムを巻く梱包形態では、シンプルであるがゆえにコスト面では安価なものであったが、側壁のない状態で梱包物を積んでいくために梱包作業性に問題があった。また、梱包強度は、梱包物自体の強度に依るため、強度不足に陥ることもあった。
【０００４】
スキット木箱や金属製の網かごを使用する場合では、密閉されていないことから、梱包物保護面で問題があった。また、スキット木箱では、木材を使用することから環境面と輸出先国での木材規制の問題があり、金属製の網かごでは、概してコストが高いものになっていた。
【０００５】
段ボール梱包による側壁のある密閉性の高い梱包形態では、通常、トレー・スリーブ・キャップの構成になっており、側壁を構成するスリーブはトレーの立ち上がりのみによって固定されている。しかし、そのトレーの立ち上がりが、トレー単体輸送時の容積アップ、延いては輸送コストアップに繋がっていた。また、トレーの立ち上がりだけでスリーブを固定させるので、結束作業前の梱包作業時においてはスリーブが安定性に欠け、梱包作業性の高い１方開きのスリーブは、そのままでは使用できず、梱包作業性を犠牲にした4面スリーブにするか、コスト面を犠牲にした片フラップを底面に折り返して使用する１方開きスリーブになることが多かった。
【０００６】
そこで、本発明は上記事情を考慮し、低コストで梱包作業性の高い側壁のある密閉梱包を提供することを目的とする。
【課題を解決するための手段】
【０００７】
請求項１に記載の発明は、既製品のプラスチックパレットをベースに加工性に優れた段ボールもしくはプラスチック段ボールを側壁に使用するシンプルな梱包形態であるので、コストを低く抑えられる。
【０００８】
請求項１に記載の発明によれば、側壁を構成するスリーブは、トレーの立ち上がりによらず、既製品のプラスチックパレットの穴を利用して固定させるので、トレーを必要としない。また、トレーの立ち上がりを利用する固定方法よりも安定しているので、梱包作業性の高い１方開きスリーブを実現できる。
【０００９】
また、梱包強度については、必要に応じ、スリーブを構成する段ボールのもしくはプラスチック段ボールの素材を選択すれば、自由に強度設計が可能となる。
【００１０】
さらに、側壁が段ボールもしくはプラスチック段ボールで構成されるため、密閉梱包となり、梱包物保護に繋がる。
【発明の効果】
【００１１】
既製品のプラスチックパレットを使用することでコストを抑えることができる。
【００１２】
プラスチックパレットに形成されている穴を利用して側壁となる段ボールもしくはプラスチック段ボールのスリーブを固定させるので、トレーが不要になり、コストを抑えることができる。
【００１３】
プラスチックパレットに形成されている穴を利用して側壁となる段ボールもしくはプラスチック段ボールのスリーブを固定させることで、スリーブの安定性が高まり、梱包作業性の高い１方開きのスリーブを使用できる。
【００１４】
側壁に段ボールもしくはプラスチック段ボールを使用するので、梱包の密閉性が高まり、梱包物の保護機能も向上する。
【発明を実施するための最良の形態】
【００１５】
次に、本発明の一実施形態に係る梱包形態について、図面を参照して説明する。
【００１６】
図３に示すように、既存のプラスチックパレットにあらかじめ成型されている穴に段ボールもしくはプラスチック段ボールのスリーブ１０の下部突起を差し込み、側壁を形成する。その後、梱包物をプラスチックパレットの上に積載していくが、側壁となるスリーブ１０が１方開きの状態で設置されているので、作業性が良い。また、より密閉に近い状態を希望される場合には、プラスチックパレットの上に段ボールもしくはプラスチック段ボールのシートを敷くことで、プラスチックパレットと梱包物の間を遮断することもできる。
【００１７】
梱包物を積載完了後、段ボールもしくはプラスチック段ボールのスリーブ１１をスリーブ１０の端部に重ね合わせ、テープ留めもしくは金具留めによりスリーブを４方閉じの状態にする。
【００１８】
図１に示すように、キャップ２０をスリーブ１０、スリーブ１１の上から被せ、フタをすることで、梱包形態が完成する。
【００１９】
梱包時にスリーブの１方開き状態を必要としない場合、あるいはより密閉状態を希望される場合には、スリーブ１０、スリーブ１１の代わりに４周スリーブを使用しても良い。あるいは、部品点数を減らしたい場合、図４に示すように、片フラップ付きのスリーブ１２を使用することもできる。フラップが付いているので、キャップ２０を必要としないで、フタをすることができる。
【図面の簡単な説明】
【００２０】
【図１】本発明の一実施形態に係る梱包形態の内1つを斜め上から見た図である。
【図２】本発明の一実施形態に係る梱包形態の内1つを斜め上から見た図である。
【図３】本発明の一実施形態に係る梱包形態の内1つを斜め上から見た図である。
【図４】本発明の一実施形態に係る梱包形態の内1つを斜め上から見た図である。
【図５】本発明の一実施形態に係る梱包形態を構成するスリーブの内1つを斜め上から見た図である。
【図６】本発明の一実施形態に係る梱包形態を構成するスリーブの内1つを斜め上から見た図である。
【図７】本発明の一実施形態に係る梱包形態を構成する蓋を斜め上から観た図である。
【図８】本発明の一実施形態に係る梱包形態を構成するスリーブの内1つを斜め上から見た図である。
【符号の説明】
【００２１】
１            プラスチックパレット
１０            スリーブ
１１            スリーブ
１２            スリーブ
１３            フラップ
２０            キャップ
３０            罫線
【図１】
2008127034.tif 000003
【図２】
2008127034.tif 000004
【図３】
2008127034.tif 000005
【図４】
2008127034.tif 000006
【図５】
2008127034.tif 000007
【図６】
2008127034.tif 000008
【図７】
2008127034.tif 000009
【図８】
2008127034.tif 000010